(57)【要約】【課題】被検レンズの光学特性を測定する測定光学系を複雑化することなく、隠しマークを検出することができるレンズメータを提供する。【解決手段】被検レンズＬに測定光を投光し被検レンズＬを透過した測定光を受光する測定光学系Ｋと、測定光学系Ｋで受光した測定光に基づいて被検レンズＬの光学特性値を算出する光学特性算出部４３と、被検レンズＬを撮像してレンズ画像を取得する撮像装置３０と、光学特性値及びレンズ画像を表示部３に表示させる表示制御部４９と、被検レンズＬを照明する複数の照明用光源６と、被検レンズＬに形成された隠しマーク８をレンズ画像に写すために複数の照明用光源６による照明状態を制御する照明制御部４４と、を備える。【選択図】図６
2018163107.tif 000002
【特許請求の範囲】
【請求項１】
被検レンズに測定光を投光し前記被検レンズを透過した測定光を受光する測定光学系と、
前記測定光学系で受光した測定光に基づいて前記被検レンズの光学特性値を算出する光学特性算出部と、
前記被検レンズを撮像してレンズ画像を取得する撮像部と、
前記光学特性値及び前記レンズ画像を表示部に表示させる表示制御部と、
前記被検レンズを照明する複数の照明用光源と、
前記被検レンズに形成された隠しマークを前記レンズ画像に写すために、前記複数の照明用光源による照明状態を制御する照明制御部と、
を備えることを特徴とするレンズメータ。
【請求項２】
前記照明制御部は、前記複数の照明用光源の照明方向を調整する照明方向調整部を有することを特徴とする請求項１に記載のレンズメータ。
【請求項３】
前記レンズ画像に基づいて前記隠しマークの座標位置を検出する隠しマーク検出部と、
前記隠しマーク検出部にて検出された前記隠しマークの座標位置情報と、前記レンズ画像とに基づき、前記レンズ画像に前記隠しマークの座標位置を示すオブジェクト画像を重畳した重畳画像を生成する画像生成部と、を備え、
前記表示制御部は、前記画像生成部によって生成した重畳画像を前記表示部に表示させることを特徴とする請求項１又は請求項２に記載のレンズメータ。
【請求項４】
前記隠しマークの形状にレンズ情報を関連付けて記憶したデータベースと、
前記レンズ画像に基づいて前記隠しマークの形状を検出する隠しマーク検出部と、
前記隠しマーク検出部にて検出された前記隠しマークの形状情報と、前記データベースに記憶されたレンズ情報とに基づいて、当該隠しマークのレンズ情報を取得する情報取得部と、を備え、
前記表示制御部は、前記情報取得部によって取得したレンズ情報を前記表示部に表示させることを特徴とする請求項１から請求項３のいずれか一項に記載のレンズメータ。
【請求項５】
前記レンズ画像に基づいて前記隠しマークの座標位置を検出する隠しマーク検出部を備え、
前記表示制御部は、前記表示部内で前記レンズ画像が表示される領域とは異なる領域に、前記隠しマーク検出部にて検出された前記隠しマークを視認可能に表示する隠しマーク画像を表示させることを特徴とする請求項１から請求項４のいずれか一項に記載のレンズメータ。
【請求項６】
前記照明用光源は、前記測定光学系の測定光軸の周りを取り囲む位置に設けられていることを特徴とする請求項１から請求項５のいずれか一項に記載のレンズメータ。
【請求項７】
前記照明制御部は、使用者によって操作可能な調光機構を有する
ことを特徴とする請求項１から請求項６のいずれか一項に記載のレンズメータ。
【発明の詳細な説明】
【技術分野】
【０００１】
本開示は、レンズメータに関する。
【背景技術】
【０００２】
従来、極小ピンホールを介して照射される光源からの光を、コリメータレンズを用いて平行光束に変換してから被検レンズに投光することで、被検レンズに設けられた隠しマークを視認可能にする隠しマーク観察装置が知られている（例えば、特許文献１参照）。
また、光源から被検レンズに向けて照射された光を、再帰性反射板によって被検レンズの後方で反射させると共に、この再帰性反射板を回転させることで、被検レンズに設けられた隠しマークを撮像可能にするレンズ自動装着装置が知られている（例えば、特許文献２参照）。
【先行技術文献】
【特許文献】
【０００３】
【特許文献１】特開２０１０−８５５８９号公報
【特許文献２】特開２００５−３１６４３６号公報
【発明の概要】
【発明が解決しようとする課題】
【０００４】
しかしながら、従来の装置では、隠しマークを視認可能或いは撮像可能するための構造が、被検レンズに光を照射する光学系に組み込まれている。そのため、光学系の構造が複雑になってしまうという問題が生じる。
【０００５】
本開示は、上記問題に着目してなされたもので、被検レンズの光学特性を測定する測定光学系を複雑化することなく、被検レンズに形成された隠しマークを検出することができるレンズメータを提供することを目的とする。
【課題を解決するための手段】
【０００６】
上記目的を達成するため、本開示のレンズメータは、被検レンズに測定光を投光し前記被検レンズを透過した測定光を受光する測定光学系と、前記測定光学系で受光した測定光に基づいて前記被検レンズの光学特性値を算出する光学特性算出部と、前記被検レンズを撮像してレンズ画像を取得する撮像部と、前記光学特性値及び前記レンズ画像を表示部に表示させる表示制御部と、前記被検レンズを照明する複数の照明用光源と、前記被検レンズに形成された隠しマークを前記レンズ画像に写すために、前記複数の照明用光源による照明状態を制御する照明制御部と、を備える。
【発明の効果】
【０００７】
本開示のレンズメータによれば、被検レンズの光学特性を測定する測定光学系を複雑化することなく、被検レンズに形成された隠しマークを検出することができる。
【図面の簡単な説明】
【０００８】
【図１】実施例１のレンズメータの外観を示す斜視図である。
【図２】実施例１のレンズメータの測定光学系の構成を示す説明図である。
【図３】実施例１の測定光学系に設けたパターンプレートの一例を示す平面図である。
【図４】実施例１の照明用光源の外観及び取り付け位置を示す説明斜視図である。
【図５】実施例１の被検レンズの一例を示す平面図である。
【図６】実施例１のレンズメータの制御系の構成を示すブロック図である。
【図７】実施例１のレンズメータにて表示される表示画面の一例を示す説明図である。
【図８】実施例１のレンズメータにて実行される画像制御処理の流れを示すフローチャートである。
【図９】実施例１のレンズメータにて表示される表示画面の他の例を示す説明図である。
【発明を実施するための形態】
【０００９】
以下、本発明のレンズメータを実施するための形態を、図面に示す実施例１に基づいて説明する。
【００１０】
（実施例１）
［レンズメータの全体構成］
以下、図１に基づき、実施例１のレンズメータ１の全体構成を説明する。
図１に示すレンズメータ１は、被検レンズＬの光学特性を測定し、光学特性値を表示すると共に、被検レンズＬのレンズ光軸の位置を示す記号やプリズムサークル記号等を表示するものである。このレンズメータ１は、装置本体２を有する。
【００１１】
装置本体２は、前面上部に液晶ディスプレイや有機ＥＬディスプレイ等からなり、タッチパネル式の表示画面３ａを有する表示部３が設けられている。表示画面３ａには、被検レンズＬの光学特性値（球面度数、円柱度数、円柱軸角度、プリズム度数、加入度数、プリズム基底方向等）の数値データや、測定光軸Ｌｍを中心にして描かれたプリズムサークル記号及び被検レンズＬのレンズ光軸の位置を示す記号を示すグラフィック画像、被検レンズＬのレンズ画像、被検レンズＬに形成された隠しマーク８に関連付けられたレンズ情報等が表示される。また、表示画面３ａには、測定の開始や停止等の操作を行うための操作ボタンや、測定モードを切り換えるためのモード切替ボタン、後述する照明用光源６の照明状態を制御するための制御ボタン等をアイコンで示す操作部が表示される。なお、この操作部は、装置本体２に適宜ボタンやスイッチ等を設けて構成してもよい。
【００１２】
装置本体２は、上部２ａに投光光学系１０（図２参照）が収容され、下部２ｂであって、投光光学系１０の下方に対向する位置に受光光学系２０（図２参照）が収容されている。なお、この投光光学系１０及び受光光学系２０により、被検レンズＬの光学特性を測定する測定光学系Ｋが構成されている。
さらに、この装置本体２の上部２ａには、被検レンズＬの外観を撮像する撮像装置３０（撮像部、図２参照）が収容されている。
【００１３】
そして、装置本体２の中間部には、被検レンズＬをセットするレンズセット空間２ｃが形成され、このレンズセット空間２ｃの内側にレンズ保持機構４と、印点装置５と、複数の照明用光源６と、が設けられている。
【００１４】
レンズ保持機構４は、被検レンズＬを置く円環状の載置面４ａを有するレンズ受け４ｂと、レンズ受け４ｂに置かれた被検レンズＬを上方から押えるレンズ押え４ｃと、レンズセット空間２ｃ内での被検レンズＬの位置決めを補助するレンズテーブル４ｄと、有している。
ここでは、レンズ受け４ｂとレンズ押え４ｃの間に被検レンズＬを挟持した後、レンズテーブルレバー４ｅを操作してレンズテーブル４ｄの前後方向の位置を調整することで、被検レンズＬのセット位置（測定光軸Ｌｍに対する被検レンズＬの位置）を調整する。
なお、この実施例１では、レンズ受け４ｂ及びレンズ押え４ｃは、一つずつ設けられている。
【００１５】
印点装置５は、軸打ちレバー５ａを操作することで上下方向に回動し、レンズ受け４ｂとレンズ押え４ｃの間に挟持された被検レンズＬに印点を行う。
【００１６】
複数の照明用光源６は、レンズ受け４ｂとレンズ押え４ｃの間に挟持された被検レンズＬを様々な方向から照明する発光体である。ここでは、レンズ受け４ｂの周縁部に沿った位置と、装置本体２の上部２ａの下面（レンズセット空間２ｃに臨む面）であって、測定光の出射位置を囲む位置とに設けられている。つまり、複数の照明用光源６は、測定光軸Ｌｍを取り囲む位置に沿って設けられている。
【００１７】
［測定光学系の詳細構成］
以下、図２及び図３に基づき、実施例１のレンズメータ１の測定光学系Ｋの詳細構成を説明する。実施例１の測定光学系Ｋは、被検レンズＬの光学特性値を測定するためのものであり、上述のように、投光光学系１０と、受光光学系２０とを有している。
【００１８】
投光光学系１０は、被検レンズＬに対して測定光を投光する光学系であって、図２に示すように、測定光を出射する光源１１からハーフミラー１２へと延びて、ハーフミラー１２で折り返される測定光学系Ｋの測定光軸Ｌｍを有し、この測定光軸Ｌｍ上にレンズ１３が設けられている。この測定光軸Ｌｍは、レンズ受け４ｂの上端に形成された載置面４ａ（図１参照）の中心を通る位置関係とされている。投光光学系１０は、光源１１から出射された測定光を、ハーフミラー１２、レンズ１３を順に経ることで、所定口径の平行光に調光し、レンズ受け４ｂに載置された被検レンズＬに投光する。また、光源１１は、ＬＥＤ素子（発光ダイオード）により構成されている。
【００１９】
受光光学系２０は、測定光軸Ｌｍ上に配置されると共に、被検レンズＬを通過した測定光を受光する光学系であって、図２に示すように、フィルタ２１と、パターンプレート２２と、ＣＣＤ（Charge Coupled Devise、測定用受光素子）２３と、を有している。
【００２０】
パターンプレート２２は、被検レンズＬを通過した測定光を複数の分割測定光束に分離するパターン板である。このパターンプレート２２には、図３に示すように、円形の開口２２ａを規則正しく並べたパターンが形成されている。
【００２１】
ＣＣＤ２３は、パターンプレート２２によって分離された複数の分割測定光束を受光し、電気信号（画像信号）に変換して出力する。このＣＣＤ２３には、分割測定光束がパターン像として受光される。
【００２２】
［撮像装置の詳細構成］
以下、図２に基づき、実施例１のレンズメータ１の撮像装置３０の詳細構成を説明する。
撮像装置３０は、レンズ１３からハーフミラー１２を透過した直線上に配置され、ハーフミラー１２によって折り返された測定光軸Ｌｍに沿って、レンズ受け４ｂに置かれた被検レンズＬを撮像する。ここでは、レンズ受け４ｂ上の水平面と平行な面に沿って、測定光軸Ｌｍを中心としつつ一辺が１００ｍｍとなる正方形状の領域を撮像可能な位置に取り付けられている。この撮像装置３０は、例えば単眼式のデジタルカメラであり、撮像光学系３１と、撮像素子３２と、を有している。
【００２３】
撮像光学系３１は、複数のレンズから構成され、投光光学系１０のレンズ１３と協働して、レンズ受け４ｂ上に置かれた被検レンズＬの被写体像を撮像素子３２上に形成する。
【００２４】
撮像素子３２は、撮像光学系３１が形成する被写体像を電気信号（画像信号）に変換して出力する。
【００２５】
［照明用光源の詳細構成］
以下、図４に基づき、実施例１のレンズメータ１の照明用光源６の詳細構成を説明する。
複数の照明用光源６は、それぞれＬＥＤ素子により構成されている。ここでは、複数の照明用光源６がテープ状のフレキシブル基板６ａに等間隔で取り付けられ、また回路構成として個別に点灯制御できるようになったＬＥＤテープＴに形成されている。
【００２６】
そして、レンズ受け４ｂに取り付けられ、測定光学系Ｋの測定光軸Ｌｍを取り囲むＬＥＤテープＴは、上方（装置本体２の上部２ａ）に向かって照明光を照射し、被検レンズＬを下方から照明する。また、装置本体２の上部２ａに取り付けられ、測定光学系Ｋの測定光軸Ｌｍを取り囲むＬＥＤテープＴは、下方（装置本体２の下部２ｂ）に向かって照明光を照射し、被検レンズＬを上方から照明する。
【００２７】
［隠しマークの詳細構成］
以下、図５に基づき、実施例１の被検レンズＬに形成された隠しマーク８の詳細構成を説明する。
一般的に、累進多焦点レンズや中近レンズ等の未加工レンズには、図５に示すように、その表面に印刷により形成された印刷マーク８ａや、刻印により形成された識別マーク８ｂ等の隠しマーク８が形成されている。
【００２８】
この隠しマーク８は、レンズ製造メーカ名・レンズ型名・素材屈折率・加入度数・累進帯長等のレンズ情報に関連付けられた記号や数字である。隠しマーク８は、未加工レンズを眼鏡レンズに加工して眼前に装着した際、視認の邪魔にならないよう、コントラストがなるべく小さくなるように形成される。
【００２９】
なお、隠しマーク８を未加工レンズに形成するための方法には、例えば細いダイヤモンド針を用いてレンズ表面にケガキによって刻印する方法や、未加工レンズを形成する金型に予め隠しマークを刻印してレンズ成型時にレンズ表面に転写する方法、薬品を用いて未加工レンズの表面に形成する方法、レーザを用いて未加工レンズの内部に形成する方法等が知られている。いずれの方法により未加工レンズに隠しマーク８を形成したとしても、隠しマーク８は見えにくいように形成され、通常の目視では隠しマーク８を観察することは難しい。しかしながら、様々な方向から未加工レンズを照明することで、この隠しマーク８を目視することが可能である。
【００３０】
［制御系の詳細構成］
以下、図６に基づき、実施例１のレンズメータ１の制御系の詳細構成を説明する。
実施例１のレンズメータ１は、ＣＰＵ（Central Processing Unit）４０と、ＲＯＭ（Read Only Memory）やＨＤＤ（hard disk drive）、ＥＥＰＲＯＭ（Electrically Erasable Programmable ROM）等により構成されて必要な制御プログラムが格納された記憶部４１と、を有している。
【００３１】
ＣＰＵ４０は、記憶部４１に格納された制御プログラムを、例えばＲＡＭ（Random Access Memory）よって構成された内部メモリ上に展開することにより、レンズメータ１の各部の動作制御や光学特性値の算出処理などを実行する。ＣＰＵ４０は、この制御プログラムにしたがって、制御部４２、光学特性算出部４３、照明制御部４４、レンズ画像取得部４５、隠しマーク検出部４６、画像生成部４７、情報取得部４８、表示制御部４９として動作する。
【００３２】
記憶部４１は、ここでは必要な制御プログラムに加えて、隠しマーク８とレンズ情報とを関連付けて記憶したデータベース４１ａを有している。なお、「レンズ情報」とは、例えばマーク形状、レンズ製造メーカ名、レンズ型名、素材屈折率、加入度数、累進帯長等である。
【００３３】
制御部４２は、レンズメータ１の各部へ適宜制御指令を出力し、各部の動作を統括的に制御する。すなわち、例えば、投光光学系１０の光源１１の点灯／消灯動作の制御、ＣＣＤ２３から入力される画像信号や撮像素子３２から入力される撮像信号、画像生成部４７にて生成される重畳画像等の記憶部４１への記憶処理／読出処理等を行う。
【００３４】
光学特性算出部４３は、ＣＣＤ２３から入力される画像信号、つまり、ＣＣＤ２３に結像されたパターン像に基づいて、被検レンズＬの測定位置の球面度数、円柱度数、円柱軸角度、プリズム度数、プリズム基底方向等の光学特性値を算出する処理を行う。算出された光学特性値の数値データは、表示制御部４９へと出力される。なお、「被検レンズＬの測定位置」とは、測定光軸Ｌｍが入射する位置である。
ここで、画像信号には、受光した複数の分割測定光束のそれぞれについての受光位置及び受光像の形状を示す情報が含まれている。この情報は、ＣＣＤ２３の画素上の位置座標として表現される。各分割測定光束は、ＣＣＤ２３上での受光位置が被検レンズＬの光学特性値に応じて変位されるので、ＣＣＤ２３上に形成されるパターンが縮小または拡大されたり歪んだりする。この光学特性算出部４３では、この複数の分割測定光束の投影パターンを解析することにより、被検レンズＬの光学特性値を求める。
【００３５】
照明制御部４４は、複数の照明用光源６の点灯/消灯を制御すると共に、被検レンズＬに形成された隠しマーク８を、撮像装置３０によって撮像されるレンズ画像に写すため、複数の照明用光源６による照明状態を制御する。つまり、この照明制御部４４は、各照明用光源６に対して点灯指令及び消灯指令を出力すると共に、レンズ画像に隠しマーク８が写るように、各照明用光源６に照明状態を制御する調光指令を出力する。なお、「照明状態を制御する」とは、例えば複数の照明用光源６のそれぞれの光束、光度、輝度や、点灯/消灯等の状態を調整したり、複数の照明用光源６を点灯/消灯して被検レンズＬを照明する照明色や波長を調整したりすることである。
【００３６】
この照明制御部４４による照明状態の制御は、記憶部４１内の制御プログラムに基づいて自動的に行ってもよいし、表示部３の表示画面３ａに設けた操作部等の調光機構を介してレンズメータ１の使用者が調光指令を入力することで行ってもよい。すなわち、この照明制御部４４が、使用者によって操作可能な調光機構を有するものであってもよい。
なお、「操作部を介してレンズメータ１の使用者が調光指令を入力する」とは、使用者の調光機構のマニュアル操作によって調光指令を入力することであり、例えば、タッチパネル（調光機構）になった表示画面３ａの画面上で、照明状態を変更したい任意の照明用光源６が映っている位置を指先でなぞったり、表示画面３ａの近傍位置に設けられた照明調整ボタン（調光機構）を操作したりして調光指令を入力することである。
【００３７】
レンズ画像取得部４５は、撮像装置３０の撮像素子３２から入力される撮像信号、つまり、撮像素子３２によって光電変換された被写体像から、撮像装置３０によって撮像されたレンズ画像を取得する。すなわち、このレンズ画像取得部４５は、撮像装置３０によって撮影された画像に対して、必要な処理や加工（例えば、座標変換、コントラスト調整、色変換（半透明やセピアカラーとする等）、明るさ調整、フィルタ処理等。レンズ画像をオブジェクト画像よりも目立たなくさせる処理を含む。）を実施し、所望のレンズ画像を取得する。取得したレンズ画像の画像データは、隠しマーク検出部４６、画像生成部４７、表示制御部４９へと適宜出力される。なお、取得するレンズ画像は静止画像である。
【００３８】
隠しマーク検出部４６は、レンズ画像取得部４５にて取得されたレンズ画像に基づき、隠しマーク８の被検レンズＬ上の座標位置と、隠しマーク８の形状を検出する。検出された隠しマーク８の座標位置情報は、画像生成部４７へと出力される。また、検出された隠しマーク８の形状情報は、情報取得部４８へと出力される。
【００３９】
画像生成部４７は、隠しマーク検出部４６にて検出された隠しマーク８の座標位置情報と、レンズ画像取得部４５にて取得されたレンズ画像に基づき、隠しマーク８の座標位置を示すオブジェクト画像をレンズ画像に重畳し、重畳画像を生成する。このとき、隠しマーク８の座標位置と、レンズ画像内の被検レンズＬに設定した座標位置とを予め関係付けておく。そして、オブジェクト画像は、検出された隠しマーク８の座標位置に対応するレンズ画像上の位置に重畳される。
また、生成した重畳画像の画像データは、表示制御部４９へと出力される。すなわち、「重畳画像」では、レンズ画像内で隠しマーク８の座標位置が強調表示される。
【００４０】
情報取得部４８は、隠しマーク検出部４６にて検出された隠しマーク８の形状情報と、記憶部４１が有するデータベース４１ａに格納された情報（隠しマーク８の形状に関連付けて記憶されたレンズ情報）とに基づき、隠しマーク検出部４６にて検出された隠しマーク８に関連付けられたレンズ情報（レンズ製造メーカ名、レンズ型名、素材屈折率等）を取得する。取得したレンズ情報は、表示制御部４９へと出力される。
【００４１】
以下、情報取得部４８によるレンズ情報の取得手順の一例を説明する。
すなわち、まず、データベース４１ａに格納されたレンズ情報に含まれるマーク形状と、検出された隠しマーク８の形状情報とを照合する。そして、検出された隠しマーク８の形状情報に対して、完全一致又は一部一致したマーク形状が含まれるレンズ情報を抽出する。
【００４２】
レンズ情報が一件でも抽出されたら「近似ランキングあり」と判定する。そして、隠しマーク８の形状情報に完全一致又は一部一致したマーク形状のデータ（「近似ランキング」という）を表示制御部４９へと出力し、この表示制御部４９から表示部３へと出力して表示画面３ａに表示させる。同時に、表示制御部４９は、レンズ画像取得部４５から出力されたレンズ画像の画像データを表示部３へと出力し、表示画面３ａにレンズ画像を表示させる。
【００４３】
そして、レンズメータ１の使用者は、表示画面３ａに表示された「近似ランキング」とレンズ画像とを目視により比較して、「近似ランキング」の中から被検レンズＬに形成されていると思われる隠しマーク８を決定する。使用者が決定した隠しマーク８の情報は、例えば表示画面３ａに設けられたタッチパネル等を操作することで入力する。
隠しマーク８の選択情報が入力されたら、この隠しマーク８の選択情報と、データベース４１ａとに基づき、当該隠しマーク８に関連付けられたレンズ情報を抽出する。なお、抽出したレンズ情報は、表示制御部４９へと出力される。
【００４４】
表示制御部４９は、光学特性算出部４３にて算出された被検レンズＬの光学特性値の数値データと、レンズ画像取得部４５にて取得されたレンズ画像の画像データと、画像生成部４７にて生成された重畳画像の画像データと、情報取得部４８にて取得された被検レンズＬのレンズ情報とのうち、任意のものを表示部３へと出力し、表示部３の表示画面３ａに表示させる。なお、光学特性値のデータと、レンズ画像の画像データと、重畳画像の画像データと、レンズ情報のいずれを出力するかは、制御部４２によって制御する。
【００４５】
図７に表示画面３ａに表示された画面の一例を示す。この図７では、破線Ａで囲む領域に被検レンズＬの光学特性値の数値データ（球面度数（Ｓ）、円柱度数（Ｃ）、円柱軸角度（Ａ）、加入度数（ＡＤＤ））を表示し、破線Ｂで囲む領域に、隠しマーク８に基づいて取得した被検レンズＬのレンズ情報のデータを表示する。さらに、破線Ｃで囲む領域に重畳画像の画像データを表示する。ここでは、重畳画像に対し、幾何学的ゼロ位置を示す座標軸画像と、プリズムゼロ位置を示すマーク画像とを重ね合わせる。
【００４６】
［画像制御処理］
以下、実施例１のレンズメータ１にて行われる画像制御処理の一例を、図８フローチャートを用いて具体的に説明する。
【００４７】
ステップＳ１では、レンズ保持機構４のレンズ受け４ｂに被検レンズＬが載置されたか否かを判断する。YES（載置された）の場合はステップＳ２へ進み、NO（載置されていない）の場合はステップＳ１を繰り返す。
【００４８】
ステップＳ２では、ステップＳ１での被検レンズＬが載置されたとの判断に続き、照明制御部４４から照明用光源６へ点灯指令を出力し、照明用光源６による被検レンズＬの照明を開始して、ステップＳ３へ進む。
ここで、点灯指令が出力されたときには、複数の照明用光源６は、全て一律の照明状態で点灯する。
【００４９】
ステップＳ３では、ステップＳ２でのレンズ照明の開始に続き、撮像装置３０により被検レンズＬの画像を撮影し、ステップＳ４へ進む。なお、撮影した画像データは、レンズ画像取得部４５に出力される。
【００５０】
ステップＳ４では、ステップＳ３での被検レンズＬの撮影に続き、レンズ画像取得部４５により、撮影した撮像データに対して必要な処理や加工を行ってレンズ画像を取得し、ステップＳ５へ進む。なお、取得したレンズ画像は、隠しマーク検出部４６に出力される。
【００５１】
ステップＳ５では、ステップＳ４でのレンズ画像の取得に続き、隠しマーク検出部４６により、取得したレンズ画像に基づいてレンズ画像に写っている隠しマーク８の座標位置及び形状が検出したか否かを判断する。YES（隠しマーク検出）の場合にはステップＳ６へ進み、NO（隠しマーク未検出）の場合にはステップＳ７へ進む。
ここで、隠しマーク８の検出は、レンズ画像を解析することで実行する。なお、隠しマーク８の座標位置又は形状のいずれか一方しか検出できない場合には、「隠しマーク未検出」と判断する。また、隠しマーク８の検出結果情報は、照明制御部４４に出力される。
【００５２】
ステップＳ６では、ステップＳ５での隠しマーク検出との判断に続き、照明制御部４４から照明用光源６へ消灯指令を出力し、照明用光源６による被検レンズＬの照明を終了して、ステップＳ８へ進む。
ここで、消灯指令が出力されたときには、複数の照明用光源６は、全て一斉に消灯する。
【００５３】
ステップＳ７では、ステップＳ５での隠しマーク未検出との判断に続き、照明制御部４４から照明用光源６へ調光指令を出力し、照明用光源６による被検レンズＬの照明状態を調整し、ステップＳ３へ戻る。
ここで、照明状態の調整は、複数の照明用光源６のそれぞれの光束、光度、輝度や、個別の点灯/消灯等の状態を調整することで実行する。また、調光指令は、記憶部４１に予め格納された制御プログラムに基づいて自動的に出力してもよいし、レンズメータ１の使用者のマニュアル操作によって入力された調光指令に基づいて出力してもよい。
【００５４】
ステップＳ８では、ステップＳ６でのレンズ照明の終了に続き、画像生成部４７により、ステップＳ５にて検出した隠しマーク８の座標位置を示すオブジェクト画像を、ステップＳ４にて取得したレンズ画像に重畳することで重畳画像を生成し、ステップＳ９へ進む。
【００５５】
ステップＳ９では、ステップＳ８での重畳画像の生成に続き、情報取得部４８により、ステップＳ５にて検出した隠しマーク８の形状と、データベース４１ａに格納されたレンズ情報に含まれるマーク形状とが、完全一致、或いは一部一致しているかを照合し、ステップＳ10へ進む。
【００５６】
ステップＳ10では、ステップＳ９での隠しマーク８の形状情報の照合に続き、情報取得部４８により、検出された隠しマーク８の形状情報に対して、完全一致又は一部一致したマーク形状が含まれるレンズ情報が抽出されたか否か、つまり「近似ランキングあり」と判定されたか否かを判断する。YES（近似ランキングあり）の場合にはステップＳ11へ進み、NO（近似ランキングなし）の場合にはステップＳ14へ進む。
【００５７】
ステップＳ11では、ステップＳ10での近似ランキングありとの判断に続き、表示制御部４９により、ステップＳ４にて取得したレンズ画像と、ステップＳ10にて抽出した隠しマーク８の形状情報に完全一致又は一部一致したマーク形状のデータ（近似ランキング）とを表示部３の表示画面３ａに表示し、ステップＳ12へ進む。
ここで、レンズ画像と近似ランキングとは、並列に表示することで、目視で容易に比較可能とすることができる。
【００５８】
ステップＳ12は、ステップＳ11でのレンズ画像及び近似ランキングの表示に続き、レンズメータ１の使用者が、「近似ランキング」の中から被検レンズＬに形成されていると思われる隠しマーク８を決定し、ステップＳ13へ進む。
ここで、隠しマーク８の決定情報は、表示画面３ａに設けられたタッチパネル等を操作することで入力され、情報取得部４８に出力される。
【００５９】
ステップＳ13では、ステップＳ12での隠しマーク８の決定に続き、情報取得部４８により、決定した隠しマーク８に関連付けられたレンズ情報をデータベース４１ａから抽出し、ステップＳ14へ進む。
【００６０】
ステップＳ14では、ステップＳ10での近似ランキングなしとの判断、又は、ステップＳ13でのレンズ情報の抽出に続き、被検レンズＬの光学測定を実施し、ステップＳ15へ進む。
なお、被検レンズＬの光学測定は、制御部４２からの制御指令に基づいて、投光光学系１０が有する光源１１から被検レンズＬに向けて測定光を投光し、被検レンズＬを通過した測定光の像を受光光学系２０が取得することで行う。
【００６１】
ステップＳ15では、ステップＳ14での光学測定の実施に続き、光学特性算出部４３により、光学測定を行うことで得られた複数の分割測定光束の像に基づいて、被検レンズＬの光学特性値を算出し、ステップＳ16へ進む。
【００６２】
ステップＳ16では、ステップＳ15での光学特性値の算出に続き、表示制御部４９により、ステップＳ８にて生成した重畳画像の画像データと、ステップＳ13にて抽出したレンズ情報のデータと、ステップＳ15にて算出した光学測定値の数値データを表示部３に対して出力し、表示部３の表示画面３ａに重畳画像とレンズ情報と光学測定値を表示する（図７参照）。
【００６３】
次に、実施例１のレンズメータ１の作用効果を説明する。
実施例１のレンズメータ１では、被検レンズＬをレンズ受け４ｂに載置したら、図８に示すフローチャートにおいて、ステップＳ１→ステップＳ２へと進み、照明用光源６からの照明光で被検レンズＬを照明する。このとき、照明用光源６が複数であるため、被検レンズＬは、様々な角度から入射する照明光によって照明される。
【００６４】
照明用光源６で被検レンズＬを照明したら、ステップＳ３→ステップＳ４へと進み、撮像装置３０によって被検レンズＬを撮像し、被検レンズＬのレンズ画像を取得する。被検レンズＬのレンズ画像を取得したら、ステップＳ５へと進んで、被検レンズＬのレンズ画像を解析し、この被検レンズＬに形成された隠しマーク８が検出されたか否かを判断する。
【００６５】
そして、レンズ画像に基づいて隠しマーク８を検出したら、ステップＳ６に進んで複数の照明用光源６をすべて消灯し、被検レンズＬの照明を終了する。一方、レンズ画像から隠しマーク８が検出できなかったときには、ステップＳ７に進んで複数の照明用光源６による被検レンズＬの照明状態を調整し、ステップＳ３へ戻って再度被検レンズＬの撮影を行う。
【００６６】
すなわち、この実施例１では、様々な方向から入射する照明光によって被検レンズＬを照明し、照明した状態で被検レンズＬを撮影して取得したレンズ画像に基づいて、隠しマーク８を検出する。そのため、隠しマーク８を検出する際、被検レンズＬの光学特性を測定する測定光学系Ｋを用いることがない。
【００６７】
また、レンズ画像に基づいて隠しマーク８の検出ができなかったときには、照明制御部４４からの調光指令に基づいて、複数の照明用光源６のそれぞれの光束、光度、輝度や、点灯/消灯等の状態が調整され、被検レンズＬの照明状態が制御される。ここで、この照明状態の制御は、レンズ画像に基づいて隠しマーク８が検出されるまで繰り返される。
【００６８】
つまり、この照明制御部４４は、被検レンズＬに形成された隠しマーク８をレンズ画像に写すために、複数の照明用光源６による照明状態を制御する。これにより、測定光学系Ｋが複雑化することなく、隠しマーク８を検出することができる。
【００６９】
また、この実施例１のレンズメータ１では、照明用光源６による照明状態を調整し、レンズ画像に隠しマーク８を写すことができる。このため、表示画面３ａに表示されたレンズ画像を目視した際、隠しマーク８からわかる位置に関する情報と、レンズ画像から把握可能な位置との関係を容易に把握することができる。そのため、単なる隠しマーク読み取り機とは異なり、レンズ画像を目視しただけで隠しマーク８に関する情報を得ることができ、使用者にとってより有効な情報を表示することができる。
さらに、実施例１のレンズメータ１では、レンズ画像に隠しマーク８が写るため、隠しマーク８からわかる被検レンズＬに関するレンズ情報と、光学測定値との関係も容易に把握することができる。
【００７０】
そして、表示画面３ａに被検レンズＬの光学測定値の分布を示すマッピング画像を表示する場合では、このマッピング画像にレンズ画像を重畳して表示した場合に、レンズ画像に隠しマーク８が写っていることから、隠しマーク８からわかる位置に関する情報と、マッピング画像との位置関係を把握することができる。
【００７１】
なお、照明用光源による照明状態の制御の上限回数として、予め決められた回数を設定し、照明状態の制御を上限回数まで繰り返しても隠しマーク８がレンズ画像に写らず、レンズ画像に基づいて隠しマーク８を検出できないときには、隠しマーク８の検出及び被検レンズＬの照明を終了し、図８に示す画像制御処理を終了してもよい。
【００７２】
また、この実施例１では、照明制御部４４からの複数の照明用光源６に対する調光指令を、使用者のマニュアル操作によって入力された調光指令に基づいて出力してもよいという例を示した。
ここで、複数の照明用光源６に対する調光指令を、使用者のマニュアル操作によって入力された調光指令に基づいて出力する場合では、使用者の感覚や意志に沿った調光が可能になる。また、このとき、使用者はレンズ画像を目視確認しながら調光指令を入力することが可能であるので、複数の照明用光源６による照明状態を確認しながら調光することができ、よりきめ細かな調光が可能となる。
【００７３】
また、この実施例１では、隠しマーク８を検出したと判断し、被検レンズＬの照明を終了したら、ステップＳ８へと進み、隠しマーク８の座標位置を示すオブジェクト画像をレンズ画像に重畳した重畳画像を生成する。
そのため、レンズ画像に写っている隠しマーク８の座標位置を強調して表示することができる。これにより、レンズ画像を表示画面３ａに表示する場合よりも、重畳画像を表示画面３ａに表示した方が、隠しマーク８の位置を表示画面３ａ内で目視確認しやすくすることができる。
【００７４】
なお、レンズ画像に重畳する表示オブジェクトは、例えば、レンズ画像上の隠しマーク８を囲む円環印や、レンズ画像上の隠しマーク８を指示する矢印マーク等、隠しマーク８の座標位置のみを示すものであってもよいし、隠しマーク８の形状を模式的に示すものであってもよい。
【００７５】
そして、重畳画像を生成したら、ステップＳ９→ステップＳ10へと進み、検出した隠しマーク８の形状と、データベース４１ａに格納されたレンズ情報に含まれるマーク形状とが、完全一致、或いは一部一致しているかを照合して、近似ランキング（隠しマーク８の形状情報に完全一致又は一部一致したマーク形状のデータ）が存在するか否かを判断する。近似ランキングが存在すると判断したときには、ステップＳ11→ステップＳ12→ステップＳ13へと進み、表示部３の表示画面３ａに、被検レンズＬのレンズ画像と近似ランキングとを表示し、レンズメータ１の使用者に隠しマーク８を決定させた後、決定された隠しマーク８に関連付けられたレンズ情報を抽出する。
【００７６】
さらに、この実施例１では、レンズ情報を抽出した後、ステップＳ14→ステップＳ15へと進み、被検レンズＬの光学特性を測定し、測定位置の光学特性値を算出する。そして、ステップＳ16へと進んで、表示部３の表示画面３ａに、光学測定値、重畳画像、（あれば）レンズ情報を表示する。
【００７７】
これにより、レンズ画像に基づいて検出した隠しマーク８に関連付けられたレンズ情報を、表示部３の表示画面３ａに表示して、レンズメータ１の使用者に認識させることができる。つまり、レンズメータ１の使用者は、表示画面３ａを目視確認することで、レンズ情報を容易に把握することができる。
【００７８】
また、この実施例１では、光学測定値と重畳画像を表示画面３ａに表示し、さらに近似ランキングが存在したときにはレンズ情報も表示画面３ａに表示する。このため、これらの二つ又は三つの情報を表示画面３ａで同時に目視確認することができる。そのため、レンズメータ１の使用者は、被検レンズＬの光学特性の測定中に、光学特性値以外の情報を把握することが可能となる。
【００７９】
さらに、この実施例１では、図４に示すように、複数の照明用光源６が、レンズ保持機構４の周縁部に沿った位置、つまり、測定光学系Ｋの測定光軸Ｌｍの周りを取り囲む位置に設けられている。そのため、レンズ保持機構４のレンズ受け４ｂとレンズ押え４ｃの間に挟持された被検レンズＬに対し、この被検レンズＬの周囲から照明光を照射することができる。これにより、被検レンズＬに対して様々な方向からの照明光を確実に照射することができ、隠しマーク８を検出しやすくすることができる。
【００８０】
以上、本発明のレンズメータを実施例１に基づいて説明してきたが、具体的な構成については、この実施例に限定されるものではなく、特許請求の範囲の各請求項に係る発明の要旨を逸脱しない限り、設計の変更や追加等は許容される。
【００８１】
実施例１では、レンズメータ１が、光学測定値と、プリズムサークル記号及び被検レンズＬのレンズ光軸の位置を示す記号を表示するものである例を示したが、これに限定されない。例えば、レンズメータが、測定光学系Ｋの受光光学系２０に、ハルトマンプレートとスクリーンと結像光学系を有し、被検レンズの光学特性値の分布（マッピング画像）を表示するものであってもよい。この場合であっても、撮像装置と複数の照明用光源を設け、照明用光源による被検レンズの照明状態を調整しながら、複数の照明用光源で被検レンズを照明することで、隠しマークを撮像し、表示画面上で隠しマークを確認することができる。
【００８２】
また、実施例１では、複数の照明用光源６によって、被検レンズＬを上下両方から照明する例を示した。しかしながら、これに限らず、被検レンズＬの照明は、レンズ下方のみから行うものであってもよいし、レンズ上方のみから行うものであってもよい。さらに、照明用光源６は、例えばレンズ押え４ｃやレンズテーブル４ｄ、装置本体２等、測定光軸Ｌｍを取り囲む位置以外の位置に取り付けてもよい。
【００８３】
さらに、実施例１では、照明用光源６をＬＥＤ素子により構成し、複数の照明用光源６をフレキシブル基板６ａに等間隔で取り付けたＬＥＤテープＴに形成した例を示した。しかしながら、これに限定されず、例えば有機ＥＬや無機ＥＬ（エレクトロルミネッセンス）を照明用光源６に用いてもよいし、これらのＥＬやＬＥＤ素子を用いて面発光する発光シートを形成してもよい。さらに、照明方向に指向性を有する砲弾式ＬＥＤを照明用光源に適用してもよい。
【００８４】
さらに、照明制御部４４が、複数の照明用光源６の照明方向を調整（変更）する照明方向調整部を有するものであってもよい。すなわち、例えば、照明用光源６を取り付けた部分が移動可能や回転可能な構造を有しており、照明方向調整部からの調光指令に基づいて、照明用光源６を取り付けた部分が移動や回転等することで、照明方向を調整（変更）する。
この場合では、照明用光源６の数が少なくても、様々な方向から被検レンズＬに対して照明光を入射させることができる。
【００８５】
また、実施例１では、レンズ画像に基づいて隠しマーク８を検出したら、この隠しマーク８の座標位置を示すオブジェクト画像をレンズ画像に重畳した重畳画像を生成する例を示した。しかしながら、これに限らない。例えば、図９に示すように、レンズ画像が表示された領域Ｄとは別の領域Ｅに隠しマーク８を拡大した撮像画像を表示してもよいし、この領域Ｅに隠しマーク８の周辺をトリミングした撮像画像を表示してもよい。さらに、隠しマーク８をグラフィック等で強調した画像を生成し、このマーク強調画像を領域Ｅに表示したり、隠しマーク８の種類や情報を意味する所定の画像を領域Ｅに表示したりしてもよい。
つまり、レンズ画像を表示する領域とは異なる領域に、隠しマーク８を視認可能な隠しマーク画像（例えば、隠しマーク８を拡大表示したレンズ画像や、隠しマーク８の周辺をトリミングしたレンズ画像、強調画像、隠しマーク８を認識置き換えした画像等）を表示してもよい。
この場合では、隠しマーク８がレンズ画像とは別の領域に示されるため、表示画面３ａ内での視認性の向上を図ることができる。
【００８６】
また、実施例１では、図７に示すように被検レンズＬとしてメガネフレームに枠入れされたレンズを適用した例を示したが、例えば、被検レンズＬは、未加工レンズや、メガネフレームに枠入れされていないフレーム加工済みレンズであってもよい。また、実施例１では、一つの測定光学系Ｋを備えるレンズメータ１とする例を示したが、これに限らず、一対の測定光学系Ｋを設けることで、一対の被検レンズを同時に測定する構成にしてもよい。
【００８７】
また、実施例１では、被検レンズＬがレンズ受け４ｂに被検レンズＬが載置されたら照明用光源６によって被検レンズＬを照明し、隠しマーク８の検出を行った後、光学特性を測定する例を示したが、これに限定されない。例えば、被検レンズＬを載置したら、レンズ画像の撮影の前に被検レンズＬの光学特性の測定を先に実施する。そして、光学測定値を算出した後、レンズ画像を撮影して隠しマーク８の検出を行ってもよい。
【００８８】
また、実施例１では、撮像装置３０を、一対の投光光学系１０の間に配置された単眼式デジタルカメラによって構成する例を示したが、例えば複眼式のデジタルカメラによって撮像装置３０を構成してもよいし、複数の単眼式カメラで撮像装置３０を構成してもよい。
さらに、複眼式カメラ又は複数の単眼式カメラを用いた場合では、撮影された画像を合成してレンズ画像を生成してもよい。
また、レンズ上に隠しマーク８を設ける位置が規定されていることから、撮像装置３０は隠しマーク８が設けられた領域の周辺のみを撮像する隠しマーク専用のカメラであってもよい。
【００８９】
実施例１では、撮像装置３０を装置本体２の上部２ａに内蔵し、測定光軸Ｌｍを中心としつつ一辺が１００ｍｍとなる正方形状の領域を撮像可能な位置に取り付けられた例を示したが、これに限定されない。撮像装置３０は、例えば、レンズ押え４ｃ（図１において３０Ｂで示す位置）や、レンズテーブル４ｄ（図１において３０Ａで示す位置）、装置本体２に形成されたレンズセット空間２ｃを区画する壁面の表面等に設けてもよい。つまり、撮像装置３０の取り付け位置は、被検レンズＬを撮像し、レンズ画像を取得可能な位置であれば任意に設定することができる。
【００９０】
また、レンズ押え４ｃやレンズテーブル４ｄを、プラスチックよりも剛性の高い板金によって形成すると共に厚みや幅を薄くして、被検レンズＬの撮像の邪魔にならないようにしてもよい。また、レンズ押え４ｃ等を透明な樹脂によって形成することで、被検レンズＬの撮像の邪魔にならないようにしてもよい。
【符号の説明】
【００９１】
１  レンズメータ
３  表示部
４  レンズ保持機構
５  印点装置
６  照明用光源
６ａ  フレキシブル基板
８  隠しマーク
Ｋ  測定用光源
１０  投光光学系
１１  光源
１２  コリメータレンズ
２０  受光光学系
２１  パターンプレート
２２  ＣＣＤ（測定用受光素子）
３０  撮像装置（撮像部）
４０  ＣＰＵ
４１  記憶部
４１ａ  データベース
４２  制御部
４３  光学特性算出部
４４  照明用制御部
４５  レンズ画像取得部
４６  隠しマーク取得部
４７  画像生成部
４８  情報取得部
４９  表示制御部
Ｌ  被検レンズ
【図１】
2018163107.tif 000003
【図２】
2018163107.tif 000004
【図３】
2018163107.tif 000005
【図４】
2018163107.tif 000006
【図５】
2018163107.tif 000007
【図６】
2018163107.tif 000008
【図７】
2018163107.tif 000009
【図８】
2018163107.tif 000010
【図９】
2018163107.tif 000011